(57)【要約】【課題】  パソコン操作に不慣れな顧客でも、いつでも自宅から写真プリントの注文を行うことを可能とする。【解決手段】  デジタル放送対応のテレビ受像機１３０の合成部によって、放送局１１０によってアンテナ１２８ａから放送される写真プリント注文用のコンテンツデータ信号に含まれるフォーマットと、メディアから読み出された画像データファイルに係る画像とを合成した注文画面が作成される。写真プリントの注文を行う顧客は、テレビ受像機１３０のディプレイに表示された注文画面に含まれる画像に係る注文情報を入力することができる。そして、テレビ受像機１３０の発注情報送信部によって、プリンタ（写真処理装置１５０、１９０、セルフプリント機２００、または証明写真プリント機２２０）に、画像データファイル及び注文情報とからなるプリント情報が送信される。【選択図】        図１
2006318378.tif 000002
【特許請求の範囲】
【請求項１】
デジタル放送を利用して写真プリントの注文を受け付け、写真プリントを作成するプリントシステムであって、
写真プリント注文用のコンテンツデータ信号を放送する注文番組放送手段と、
記録媒体に記録されている画像データファイルを読み出すための読み出し部と、
前記注文番組放送手段によって放送された前記コンテンツデータ信号を受信する受信部、前記受信部が受信した前記コンテンツデータ信号と前記読み出し部によって読み出された画像データファイルとを合成して、前記読み出し部によって読み出された前記画像データファイルに係る画像のうち少なくとも１つの画像を含む注文画面を作成する合成手段、ディスプレイ、及び前記ディスプレイに前記注文画面を表示させる注文画面表示制御手段を有するテレビ受像機と、
前記ディスプレイに表示されている画像に係る注文情報を入力するための入力部と、
前記入力部によって入力された注文情報及び当該注文情報に係る画像データファイルからなるプリント情報を送信する送信手段と、
前記送信手段によって送信された前記プリント情報を記憶するプリント情報記憶手段と、
前記プリント情報記憶手段に記憶された前記プリント情報に基づいて画像をプリントするプリンタとを備えていることを特徴とするプリントシステム。
【請求項２】
前記入力部が前記テレビ受像機とは別体のリモートコントローラであることを特徴とする請求項１に記載のプリントシステム。
【請求項３】
前記入力部が音声入力装置であることを特徴とする請求項１に記載のプリントシステム。
【請求項４】
前記プリンタが複数設けられていると共に、前記コンテンツデータ信号に複数の前記プリンタに係る情報が含まれており、
前記テレビ受像機が、前記受信部が受信した前記コンテンツデータ信号に基づいて複数の前記プリンタに係る情報を含むプリンタ選択画面を前記ディスプレイに表示させるプリンタ選択画面表示制御手段をさらに有していることを特徴とする請求項１〜３のいずれか１項に記載のプリントシステム。
【請求項５】
前記コンテンツデータ信号に写真プリントの受け取り場所に関する複数の選択肢が含まれており、
前記テレビ受像機が、前記受信部が受信した前記コンテンツデータ信号に基づいて写真プリントの受け取り場所に関する複数の選択肢を含む受取場所選択画面を前記ディスプレイに表示させる受取場所選択画面表示制御手段をさらに有していることを特徴とする請求項１〜４のいずれか１項に記載のプリントシステム。
【請求項６】
前記コンテンツデータ信号に写真プリントの代金の支払い経路に関する複数の選択肢が含まれており、
前記テレビ受像機が、前記受信部が受信した前記コンテンツデータ信号に基づいて写真プリントの代金の支払い経路に関する複数の選択肢を含む支払経路選択画面を前記ディスプレイに表示させる支払経路選択画面表示制御手段をさらに有していることを特徴とする請求項１〜５のいずれか１項に記載のプリントシステム。
【請求項７】
前記テレビ受像機が、写真プリントの代金の支払いに関する情報を入力させるための支払情報入力画面を前記ディスプレイに表示させる支払情報入力画面表示制御手段をさらに有していることを特徴とする請求項１〜６のいずれか１項に記載のプリントシステム。
【請求項８】
前記コンテンツデータ信号に写真プリントの作成の進捗状況に関する情報が含まれており、
前記テレビ受像機が、前記受信部が受信した前記コンテンツデータ信号に基づいて写真プリントの作成の進捗状況を報知する報知手段をさらに有していることを特徴とする請求項１〜７のいずれか１項に記載のプリントシステム。
【請求項９】
前記コンテンツデータ信号に前記プリンタが設置された店舗の広告情報が含まれており、
前記テレビ受像機が、前記受信部が受信した前記コンテンツデータ信号に基づいて前記プリンタが設置された店舗の広告を前記ディスプレイに表示させる広告表示制御手段をさらに有していることを特徴とする請求項１〜８のいずれか１項に記載のプリントシステム。
【請求項１０】
前記送信手段が、放送局を介して前記プリント情報を前記プリント情報記憶手段に送信することを特徴とする請求項１〜９のいずれか１項に記載のプリントシステム。
【請求項１１】
ディスプレイと、
記録媒体に記録されている画像データファイルを読み出すための読み出し部と、
写真プリント注文用のコンテンツデータ信号を放送する注文番組放送手段によって放送された信号を受信する受信部と、
前記受信部が受信した前記コンテンツデータ信号と前記読み出し部によって読み出された画像データファイルとを合成して、前記読み出し部によって読み出された前記画像データファイルに係る画像のうち少なくも１つの画像を含む注文画面を作成する合成手段と、
前記ディスプレイに前記注文画面を表示させる注文画面表示制御手段と、
前記ディスプレイに表示されている画像に係る注文情報を入力するための入力部によって入力された注文情報及び当該注文情報に係る画像データファイルからなるプリント情報を送信する送信手段とを備えていることを特徴とするテレビ受像機。
【発明の詳細な説明】
【技術分野】
【０００１】
本発明は、デジタル放送のネットワークを利用して写真プリントの注文を受け付けるテレビ受像機、及びデジタル放送のネットワークを利用して写真プリントの注文を受け付け、写真プリントを作成するプリントシステムに関する。
【背景技術】
【０００２】
近年、ディジタルカメラで撮影した画像やスキャナで読み込んだ画像等のデジタル画像データファイルのプリントを、インターネットを介して注文するプリントシステムが知られている（特許文献１参照）。
【０００３】
具体的には、顧客は、インターネットに接続された自宅のパーソナルコンピュータ（以降、「パソコン」と称する）を操作して、プリントの注文を希望する画像データファイル及び当該画像データファイルのプリント枚数等の注文情報を、写真プリントを作成する写真処理装置を備えたプリント店のサーバにアップロードする。プリント店では、サーバにアップロードされた画像データファイル及び注文情報に基づいて写真プリントを作成する。これにより、顧客は、家庭用プリンタでは得ることができない高画質のプリントを、２４時間いつでも自宅から注文することが可能となる。
【特許文献１】特開２００２−１８３２８５号公報
【発明の開示】
【発明が解決しようとする課題】
【０００４】
しかしながら、係るプリントシステムの利用は、ある程度パソコンの操作に慣れた顧客に限定される。したがって、パソコン操作に不慣れな顧客がプリントの注文を行うためには、わざわざプリント店に赴く必要がある。
【０００５】
そこで、本発明の目的は、パソコン操作に不慣れな顧客でも、いつでも自宅から写真プリントの注文を行うことが可能なプリントシステム及びテレビ受像機を提供することである。
【課題を解決するための手段及び効果】
【０００６】
本発明のプリントシステムは、デジタル放送を利用して写真プリントの注文を受け付け、写真プリントを作成するプリントシステムであって、写真プリント注文用のコンテンツデータ信号を放送する注文番組放送手段と、記録媒体に記録されている画像データファイルを読み出すための読み出し部と、前記注文番組放送手段によって放送された前記コンテンツデータ信号を受信する受信部、前記受信部が受信した前記コンテンツデータ信号と前記読み出し部によって読み出された画像データファイルとを合成して、前記読み出し部によって読み出された前記画像データファイルに係る画像のうち少なくとも１つの画像を含む注文画面を作成する合成手段、ディスプレイ、及び前記ディスプレイに前記注文画面を表示させる注文画面表示制御手段を有するテレビ受像機と、前記ディスプレイに表示されている画像に係る注文情報を入力するための入力部と、前記入力部によって入力された注文情報及び当該注文情報に係る画像データファイルからなるプリント情報を送信する送信手段と、前記送信手段によって送信された前記プリント情報を記憶するプリント情報記憶手段と、前記プリント情報記憶手段に記憶された前記プリント情報に基づいて画像をプリントするプリンタとを備えている。
【０００７】
本発明のテレビ受像機は、ディスプレイと、記録媒体に記録されている画像データファイルを読み出すための読み出し部と、写真プリント注文用のコンテンツデータ信号を放送する注文番組放送手段によって放送された信号を受信する受信部と、前記受信部が受信した前記コンテンツデータ信号と前記読み出し部によって読み出された画像データファイルとを合成して、前記読み出し部によって読み出された前記画像データファイルに係る画像のうち少なくも１つの画像を含む注文画面を作成する合成手段と、前記ディスプレイに前記注文画面を表示させる注文画面表示制御手段と、前記ディスプレイに表示されている画像に係る注文情報を入力するための入力部によって入力された注文情報及び当該注文情報に係る画像データファイルからなるプリント情報を送信する送信手段とを備えている。
【０００８】
これらの構成によると、写真プリント注文用のコンテンツデータ信号を放送することで、パソコン操作に不慣れな顧客でも、いつでも自宅から写真プリントの注文を行うことが可能となる。また、テレビ受像機は、パソコンと比較して起動時間が短いので、パソコンを用いる場合と比べて手軽に写真プリントの注文を行うことができる。
【０００９】
本発明のプリントシステムでは、前記入力部が前記テレビ受像機とは別体のリモートコントローラであってもよい。この構成によると、普段使い慣れており、且つパソコン等のキーボードと比べてキーの数が少ないリモートコントローラを用いて注文情報を入力することができるので、容易に写真プリントの注文を行うことができる。
【００１０】
本発明のプリントシステムでは、前記入力部が音声入力装置であってもよい。この構成によると、機器を操作することなく注文情報を入力することができるので、機械の扱いに抵抗がある人でも写真プリントの注文を行うことが可能となる。
【００１１】
本発明のプリントシステムでは、前記プリンタが複数設けられていると共に、前記コンテンツデータ信号に複数の前記プリンタに係る情報が含まれており、前記テレビ受像機が、前記受信部が受信した前記コンテンツデータ信号に基づいて複数の前記プリンタに係る情報を含むプリンタ選択画面を前記ディスプレイに表示させるプリンタ選択画面表示制御手段をさらに有していることが好ましい。この構成によると、例えば、プリンタ選択画面に表示された各プリンタの設置場所等を参考にして、プリントを行うプリンタを選択することが可能となる。
【００１２】
本発明のプリントシステムでは、前記コンテンツデータ信号に写真プリントの受け取り場所に関する複数の選択肢が含まれており、前記テレビ受像機が、前記受信部が受信した前記コンテンツデータ信号に基づいて写真プリントの受け取り場所に関する複数の選択肢を含む受取場所選択画面を前記ディスプレイに表示させる受取場所選択画面表示制御手段をさらに有していることが好ましい。この構成によると、例えば、受取場所選択画面に表示された、プリンタが設置された店舗や自宅等の写真プリントの受け取り場所を選択することができる。
【００１３】
本発明のプリントシステムでは前記コンテンツデータ信号に写真プリントの代金の支払い経路に関する複数の選択肢が含まれており、前記テレビ受像機が、前記受信部が受信した前記コンテンツデータ信号に基づいて写真プリントの代金の支払い経路に関する複数の選択肢を含む支払経路選択画面を前記ディスプレイに表示させる支払経路選択画面表示制御手段をさらに有していることが好ましい。この構成によると、例えば、支払経路選択画面に表示された現金決済やクレジットカード決済等の支払い経路を選択することができる。
【００１４】
本発明のプリントシステムでは、前記テレビ受像機が、写真プリントの代金の支払いに関する情報を入力させるための支払情報入力画面を前記ディスプレイに表示させる支払情報入力画面表示制御手段をさらに有していることが好ましい。この構成によると、例えば、支払情報入力画面でクレジットカードの番号等を入力することで、代金をカード払いすることが可能となる。したがって、代金を支払うために店舗に赴いたり、銀行等に振込みに行く必要がなくなる。
【００１５】
本発明のプリントシステムでは、前記コンテンツデータ信号に写真プリントの作成の進捗状況に関する情報が含まれており、前記テレビ受像機が、前記受信部が受信した前記コンテンツデータ信号に基づいて写真プリントの作成の進捗状況を報知する報知手段をさらに有していることが好ましい。この構成によると、写真プリントの注文を行った顧客は、自宅に居ながらにして写真プリントの作成の進捗状況を把握することができる。
【００１６】
本発明のプリントシステムでは、前記コンテンツデータ信号に前記プリンタが設置された店舗の広告情報が含まれており、前記テレビ受像機が、前記受信部が受信した前記コンテンツデータ信号に基づいて前記プリンタが設置された店舗の広告を前記ディスプレイに表示させる広告表示制御手段をさらに有していることが好ましい。この構成によると、写真をプリントするプリンタを設置している店舗は、写真プリント注文用のコンテンツデータ信号を受信した顧客に対してサービスの広告を行うことができる。また、写真プリントを注文する顧客は、プリンタを設置している店舗のサービスを知ることができる。
【００１７】
本発明のプリントシステムでは、前記送信手段が、放送局を介して前記プリント情報を前記プリント情報記憶手段に送信してもよい。この構成によると、送信手段は、プリント情報を放送局が所有する画像データファイルと共に送信することができる。したがって、読み出し部によって読み出された画像データファイルに係る画像と、放送局が所有する画像データファイルに係る画像とを合成した画像をプリントすることが可能となる。
【発明を実施するための最良の形態】
【００１８】
以下、本発明の好適な一実施の形態について、図面を参照しつつ説明する。図１は、本実施の形態に係るプリントシステムの概略構成を示す図である。
【００１９】
本実施の形態のプリントシステム１は、デジタル放送を利用して写真プリントの注文を受け付け、写真プリントを作成するシステムであり、図１に示すように、デジタル放送のコンテンツに関連するデータ信号をテレビ塔１２８のアンテナ１２８ａから放送する放送局１１０と、プリントの注文を行う顧客の自宅に設置されたデジタル放送対応のテレビ受像機１３０と、プリント店に設置されており、写真プリントを作成するための写真処理装置１５０、１９０と、プリント店に設置されており、写真処理装置１５０と通信可能な店舗サーバ１６０と、写真処理装置１９０と離隔した場所に設置されており、写真処理装置１９０と通信可能な遠隔サーバ１８０と、セルフプリント機２００と、証明写真プリント機２２０と、カード会社２３０ａと通信可能であり、クレジットカードの決済を行う決済サーバ２３０とを備えている。なお、決済サーバ２３０の詳細な機能については、本発明に直接関係しないので本明細書では説明を省略する。また、放送局１１０、テレビ受像機１３０、店舗サーバ１６０、遠隔サーバ１８０、写真処理装置１９０、セルフプリント機２００、証明写真プリント機２２０、及び決済サーバ２３０は、インターネット３にそれぞれ接続されている。以降、写真処理装置１５０、１９０、セルフプリント機２００、及び証明写真プリント機２２０を単に「プリンタ」と称する場合がある。
【００２０】
なお、図１には、４つのプリンタが代表して記載されているが、プリントシステム１には、全国各地に設置されている直接または間接的にインターネット３に接続された写真処理装置、セルフプリント機、証明写真プリント機等の写真プリントを作成可能なプリンタが多数設けられている。また、テレビ受像機１３０についても、図１では１台だけ記載されているが、プリントシステム１には、全国各地の顧客のインターネット３に接続されたテレビ受像機が多数設けられている。
【００２１】
図２は、放送局１１０に備えられた、写真プリント注文用のコンテンツデータ信号の放送を制御する注文番組放送制御部１１１の概略構成を示すブロック図である。図２に示すように、注文番組放送制御部１１１には、アンテナ１２８ａとインターネット３に接続するための通信インターフェース１２９とが接続されている。
【００２２】
また、図２に示すように、注文番組放送制御部１１１は、顧客情報記憶部１１２、フォーマット記憶部１１３、プリンタ情報記憶部１１４、受取場所記憶部１１５、支払経路記憶部１１６、進捗状況記憶部１１７、広告記憶部１１８、放送部１１９、付加画像記憶部１２０、発注情報受信部１２１、発注情報送信部１２２、進捗状況受信部１２３、及び進捗状況書換部１２４を有している。
【００２３】
顧客情報記憶部１１２には、あらかじめ会員登録されている顧客の情報が記憶されている。顧客の情報とは、例えば、顧客の氏名、会員ＩＤ、住所、電話番号等である。顧客は、例えば、自宅のテレビ受像機１３０を用いてインターネット３を介して会員登録してもよいし、申し込み用紙に必要事項を記載し、放送局１１０に郵送することで会員登録してもよい。
【００２４】
フォーマット記憶部１１３は、後で詳述するテレビ受像機１３０のディスプレイ１３０ａに表示される注文画面２０（図１２参照）等のフォーマットを記憶する。プリンタ情報記憶部１１４は、プリントシステム１に備えられた全てのプリンタの設置場所等の情報が記憶される。
【００２５】
受取場所記憶部１１５は、プリンタ情報記憶部１１４に記憶されている各プリンタで写真プリントを作成した場合に、顧客が仕上がった写真プリントを受け取ることが可能な場所を記憶する。具体的には、各プリンタについて、プリンタが設置された場所及び／または自宅で受け取り可能であると記憶されている。支払経路記憶部１１６は、プリンタ情報記憶部１１４に記憶されている各プリンタで写真プリントを作成した場合に、顧客が写真プリントの代金を支払うことが可能な経路を記憶する。具体的には、各プリンタについて、現金及び／またはクレジットカードで決済が可能であると記憶されている。
【００２６】
進捗状況記憶部１１７は、顧客が注文した写真プリントの作成の進捗状況を記憶する。具体的には、進捗状況記憶部１１７には、受注後でありプリント開始前の状況である「受け付け中」、プリント開始後でありプリント完了前の状況である「プリント中」、仕上がりの写真プリントをプリンタの設置場所で受け取る場合にプリント完了の状況である「受け取り待ち」、または、自宅で受け取る場合にプリント完了の状況である「配送中」と記憶される。広告記憶部１１８は、プリンタが設置されたプリント店の広告を記憶する。
【００２７】
放送部１１９は、フォーマット記憶部１１３、プリンタ情報記憶部１１４、受取場所記憶部１１５、支払経路記憶部１１６、進捗状況記憶部１１７、及び広告記憶部１１８の記憶内容を写真プリント注文用のコンテンツデータ信号としてアンテナ１２８ａから放送する。
【００２８】
付加画像記憶部１２０は、顧客が所有する画像データファイルに係る画像に合成する画像の画像データファイルを記憶する。本実施の形態では、自然の風景、花、動物等の複数の画像に係る複数の画像データファイルが記憶されていることとする。
【００２９】
発注情報受信部１２１は、テレビ受像機１３０から送信された後述する発注情報を、インターネット３を介して受信する。発注情報送信部１２２は、発注情報受信部１２１が受信した発注情報を、付加画像記憶部１２０に記憶されている複数の画像データファイルのうち、後述する付加画像選択画面３０において顧客が選択した画像の選択肢に係る画像データファイルと共に、インターネット３を介して、店舗サーバ１６０、遠隔サーバ１８０、セルフプリント機２００、または証明写真プリント機２２０のいずれか１つに送信する。
【００３０】
進捗情報受信部１２３は、店舗サーバ１６０、遠隔サーバ１８０、セルフプリント機２００、または証明写真プリント機２２０から送信された写真プリントの作成の進捗状況を受信する。進捗状況書換部１２４は、進捗状況記憶部１１７に記憶されている写真プリントの作成の進捗状況を、進捗状況受信部１２３が受信した進捗状況に書き換える。
【００３１】
テレビ受像機１３０は、放送局１１０からアンテナ１２８ａを介して放送された写真プリント注文用のコンテンツデータを受信可能である。ここで、テレビ受像機１３０の概略構成を示すブロック図を図３に示す。図３に示すように、テレビ受像機１３０は、テレビ受像機１３０全体を制御するコントローラ１３１と、映像を映し出すディスプレイ１３０ａと、メディアに記録された画像データファイルを読み出すメディアドライブ１３０ｂと、放送電波を受信するアンテナ１３０ｃと、アンテナ１３０ｃが受信した電波から希望の放送局の信号を取り出すチューナ１３０ｄと、テレビ受像機１３０に指示を与えるためのリモートコントローラ（以降、省略して「リモコン」と称する）１００（図１０参照）から送信された赤外線信号を受信するリモコン受信部１３０ｅとを備えている。また、コントローラ１３１には、インターネット３に接続するための通信インターフェース１４８と、音声でテレビ受像機１３０に指示を与えるためのマイク１４９が接続されている。
【００３２】
本実施の形態では、テレビ受像機１３０の操作者は、リモコン１００またはマイク１４９を用いてテレビ受像機１３０に指示を与えることができる。テレビ受像機１３０のコントローラ１３１には、音声信号を処理する音声認識ソフトウェア（図示せず）がインストールされている。コントローラ１３１は、操作者がマイク１４９から音声によって入力し、音声認識ソフトウェアの処理により認識された指示内容示通りにテレビ受像機１３０を制御する。
【００３３】
ここで、リモコン１００の概略構成を示す図１０を用いて、本実施の形態のリモコン１００について説明する。リモコン１００には、テレビ受像機１３０の電源をＯＮ／ＯＦＦするための電源ボタン１０１と、テレビ受像機１３０の音量を上げ下げするための音量ボタン１０２ａ、１０２ｂと、チャンネルを選択するための選択ボタン１０３とが設けられている。選択ボタン１０３は、１〜１２の番号が振られた１２個のボタンで構成されている。これら１２個のボタンは、１チャンネル〜１２チャンネルにそれぞれ対応している。なお、電源ボタン１０１の左側のテンキー入力ボタン１０４を押すと、選択ボタン１０３の１〜１０の番号が振られたボタンがテンキーとなる（１０番のボタンは「０」を入力するボタンとなる）ので、１３チャンネル以上のチャンネルを選択することもできる。さらに、図１０に示すようにリモコン１００には、確定ボタン１０５と、ディスプレイ１３０ａに表示されたカーソルを上下左右に移動させるための移動ボタン１０６ａ、１０６ｂ、１０６ｃ、１０６ｄ、増加ボタン１０７ａ、減少ボタン１０７ｂ、及びディスプレイ１３０ａに表示された画面を前回表示画面に切り換えるための戻るボタン１０８が設けられている。
【００３４】
また、図３に示すように、コントローラ１３１は、受信信号記憶部１３２、合成部１３３、初期画面表示制御部１３４、注文画面表示制御部１３５、付加画像選択画面表示制御部１３６、表示確認画面表示制御部１３７、プリンタ選択画面表示制御部１３８、受取場所選択画面表示制御部１３９、支払経路選択画面表示制御部１４０、カード情報入力画面表示制御部１４１、確認画面表示制御部１４２、発注情報送信部１４３、カード情報送信部１４４、広告表示制御部１４５、及び進捗状況表示制御部１４６を備えている。
【００３５】
受信信号記憶部１３２は、アンテナ１３０ｃが受信した電波からチューナ１３０ｄが取り出した信号を記憶する。本実施の形態では、受信信号記憶部１３２には、写真プリント注文用のコンテンツデータ信号が記憶される。合成部１３３は、写真プリント注文用のコンテンツデータ信号に含まれるフォーマットと、メディアドライブ１３０ｂによってメディアから読み出された画像データファイルに係るサムネイル画像とを合成し、後で詳述する注文画面２０（図１２参照）を作成する。
【００３６】
初期画面表示制御部１３４は、ディスプレイ１３０ａに、図１１に示すような初期画面１０を表示させる。図１１に示すように、初期画面１０には、顧客であるテレビ受像機１３０の操作者にリモコン１００の確定ボタン１０５を操作するように促すメッセージが表示される。
【００３７】
注文画面表示制御部１３５は、ディスプレイ１３０ａに、図１２に示すような注文画面２０を表示させる。図１２に示すように、注文画面２０には、メディアから読み出された複数の画像データファイルに係るサムネイル画像のうちの４コマ分のサムネイル画像と、各サムネイル画像に付加画像を合成するための画像合成ボタン２１と、各サムネイル画像のプリント枚数とが表示される。顧客は、リモコン１００に設けられたカーソルを左右に移動させる移動ボタン１０６ｃ、１０６ｄを操作することで、４つのサムネイル画像のうちから１つを選択することができる。図１２では、最も左側のサムネイル画像が選択された状態である。そして、リモコンの増加ボタン１０７ａまたは減少ボタン１０７ｂを操作することで、選択されたサムネイル画像のプリント枚数を増減させることができる。また、サムネイル画像に付加画像を合成したい場合には、リモコンに設けられたカーソルを下に移動させる移動ボタン１０６ｂを操作することで画像合成ボタン２１が選択された状態としてから、リモコン１００の確定ボタン１０５を操作する。このとき、ディスプレイ１３０ａには、後述する付加画像選択画面３０が表示される。
【００３８】
付加画像選択画面表示制御部１３６は、ディスプレイ１３０ａに、図１３に示すような付加画像選択画面３０を表示させる。図１３に示すように、付加画像選択画面３０には、上述の放送局１１０の付加画像記憶部１２０に記憶されている複数の画像データファイルに係る複数の付加画像の選択肢が表示される。顧客は、リモコン１００の移動ボタン１０６ａ〜１０６ｄを操作することによって合成を希望する付加画像の選択肢を選択することができる。
【００３９】
表示確認画面表示制御部１３７は、ディスプレイ１３０ａに、図１４に示すような表示確認画面３５を表示させる。図１４に示すように、表示確認画面３５には、メディアから読み出された画像データファイルに係る画像と、図１３に示す付加画像選択画面３０で顧客が選択した選択肢に係る付加画像との合成画像を表示させない又は表示させるための選択肢が表示される。顧客は、リモコン１００の移動ボタン１０６ａ、１０６ｂを操作することによって、「合成画像非表示」又は「合成画像表示」のいずれかを選択することができる。なお、顧客が「合成画像表示」を選択した場合には、付加画像選択画面３０で顧客が選択した選択肢に係る付加画像の画像データファイルがコンテンツデータ信号として放送され、受信信号記憶部１３２に記憶される。
【００４０】
プリンタ選択画面表示制御部１３８は、ディスプレイ１３０ａに、図１５に示すようなプリンタ選択画面４０を表示させる。図１５に示すように、プリンタ選択画面４０には、プリンタ情報記憶部１１４に記憶されている多数のプリンタに関する情報の中から、顧客情報記憶部１１２に記憶されている顧客の住所に比較的近い場所に設置されているプリンタに関する情報が表示される。より詳細には、各プリンタについて、設置場所（住所）と、仕上がった写真プリントの配送が可能であるか否か、現金決済が可能であるか否か、及びクレジット決済が可能であるか否かの情報が表示される。顧客は、リモコン１００の移動ボタン１０６ａ、１０６ｂを操作することによって、複数のプリンタの中から１つを選択することができる。
【００４１】
受取場所選択画面表示制御部１３９は、ディスプレイ１３０ａに、図１６に示すような受取場所選択画面４５を表示させる。図１６に示すように、受取場所選択画面４５には、プリンタが設置された場所で（プリンタがプリント店に設置されている場合には店頭で、プリンタがプリント店以外に設置されている場合にはプリンタから直接）受け取る場合と、自宅で受け取る場合との２つの選択肢が表示される。顧客は、リモコン１００の移動ボタン１０６ａ、１０６ｂを操作することによって、受取場所に関する２つの選択肢のいずれかを選択することができる。
【００４２】
支払経路選択画面表示制御部１４０は、ディスプレイ１３０ａに、図１７に示すような支払経路選択画面５０を表示させる。図１７に示すように、支払経路選択画面５０には、写真プリントの代金を現金で支払う場合と、クレジットカードで支払う場合との２つの選択肢が表示される。顧客は、リモコン１００の移動ボタン１０６ａ、１０６ｂを操作することによって、支払経路に関する２つの選択肢のいずれかを選択することができる。
【００４３】
カード情報入力画面表示制御部１４１は、ディスプレイ１３０ａに、図１８に示すようなカード情報入力画面５５を表示させる。図１８に示すように、カード情報入力画面５５には、カード番号入力欄５６と、有効期限入力欄５７と、入力キー５８とが表示される。顧客は、リモコン１００の移動ボタン１０６ｃ、１０６ｄを操作することによって、０〜９までの番号に対応する入力キー５８のいずれか１つを選択し、確定ボタン１０５を押すことでカード番号入力欄５６及び有効期限入力欄５７に顧客が所有するクレジットカードのカード番号及び有効期限（以降、まとめて「カード情報」と称する場合がある）をそれぞれ入力することができる。
【００４４】
確認画面表示制御部１４２は、ディスプレイ１３０ａに、図１９に示すような確認画面６０を表示させる。図１９に示すように、確認画面６０には、注文番号と、顧客が注文した写真プリントのプリント枚数と、金額と、発注先と、写真プリントの受取場所と、支払経路とが表示される。さらに、クレジットカードで支払を行う場合には、確認画面６０には、顧客のクレジットカードの番号及び有効期限が表示される。
【００４５】
発注情報送信部１４３は、インターネット３を介して、店舗サーバ１６０、遠隔サーバ１８０、セルフプリント機２００、もしくは証明写真プリント機２２０、または放送局１１０に発注情報を送信する。発注情報とは、注文画面２０に表示されたサムネイル画像に係る画像データファイル、及びそれらのサムネイル画像に対して注文画面２０において顧客が付与したプリント枚数からなるプリント情報と、顧客が付加画像の合成を希望する場合には付加画像に関する情報、プリンタ選択画面４０で顧客が選択したプリンタ、受取場所選択画面４５で顧客が選択した受取場所、支払経路選択画面５０で顧客が選択した支払経路、注文番号、顧客の氏名等の顧客情報からなるオーダ情報との総称である。
【００４６】
ここで、付加画像に関する情報とは、表示確認画面３５において、顧客が「合成画像非表示」を選択した場合には、付加画像選択画面３０で顧客が選択した付加画像の選択肢と、放送局１１０の付加画像記憶部１２０に記憶されている複数の画像データファイルのうちの１つとの紐付け情報であり、表示確認画面３５において、顧客が「合成画像表示」を選択した場合には、付加画像選択画面３０で顧客が選択した付加画像の選択肢に係る画像データファイルである。
【００４７】
また、発注情報送信部１４３は、顧客が付加画像の合成を希望しない場合、及び付加画像の合成を希望し且つ合成画像の表示を希望する場合には、発注情報を店舗サーバ１６０、遠隔サーバ１８０、セルフプリント機２００、または証明写真プリント機２２０に送信する。さらに、発注情報送信部１４３は、顧客が付加画像の合成を希望し且つ合成画像の非表示を希望する場合には、発注情報を放送局１１０に送信する。
【００４８】
カード情報送信部１４４は、カード情報入力画面５５において、顧客が入力したカード情報、及び支払金額をインターネット３を介して決済サーバ２３０に送信する。
【００４９】
広告表示制御部１４５は、プリント店の広告をディスプレイ１３０ａに表示させる。本実施の形態では、図１１に示すように、初期画面１０中に広告７０を表示させる。進捗状況表示制御部１４６は、顧客が注文した写真プリントの作成の進捗状況をディスプレイ１３０ａに表示させる。本実施の形態では、顧客が注文中の（注文済みであり、未だ顧客に受け渡していない）写真プリントがある場合には、図２０に示すように、初期画面１０中に進捗状況８０を表示させる。
【００５０】
店舗サーバ１６０、遠隔サーバ１８０は、複数の顧客が行った写真プリントの注文を管理する。そして、店舗サーバ１６０は、図１に示すように、ローカルエリアネットワーク（以降、「ＬＡＮ」と称する）５を介して写真処理装置１５０に接続されている。一方、遠隔サーバ１８０は、図１に示すように、インターネット３を介して写真処理装置１９０に接続されている。また、店舗サーバ１６０、遠隔サーバ１８０は、図４、５にそれぞれ示すように、店舗サーバ１６０、遠隔サーバ１８０全体を制御するコントローラ１６１、１８１と、ディスプレイ１６６、１８６と、店舗サーバ１６０、遠隔サーバ１８０に指示を与えるためのキーボード１６７、１８７及びマウス１６８、１８８とをそれぞれ備えている。
【００５１】
ここで、図４を参照しつつコントローラ１６１について説明する。図４に示すように、コントローラ１６１には、インターネット３及びＬＡＮ５に接続するための通信インターフェース１６９が接続されている。また、コントローラ１６１は、発注情報受信部１６２、プリント情報記憶部１６３、オーダ情報記憶部１６４、表示制御部１６５、プリント情報送信部１６６、完了信号受信部１６７、進捗状況記憶部１６８、進捗状況書換部１６９、及び進捗状況送信部１７０を備えている。
【００５２】
発注情報受信部１６２は、放送局１１０の発注情報送信部１２２またはテレビ受像機１３０の発注情報送信部１４３から送信された発注情報をインターネット３を介して受信する。プリント情報記憶部１６３は、発注情報受信部１６２が受信した発注情報に含まれるプリント情報を記憶する。オーダ情報記憶部１６４は、発注情報受信部１６２が受信した発注情報に含まれるオーダ情報を記憶する。
【００５３】
表示制御部１６５は、ディスプレイ１６６に、図２３に示すような受注内容確認画面９０を表示させる。図２３に示すように、注文内容確認画面９０には、オーダ情報記憶部１６４の記憶内容に基づいて、写真プリントの注文の依頼主である顧客の氏名と、注文番号と、総プリント枚数と、受取場所と、支払経路とが表示される。また、注文内容確認画面９０には、プリント情報記憶部１６３に記憶されているプリント情報を写真処理装置１５０に送信し、写真プリントの作成を開始するためのプリント開始ボタン９１が表示される。
【００５４】
プリント情報送信部１６６は、プリント情報記憶部１６３に記憶されているプリント情報を写真処理装置１５０に送信する。完了信号受信部１６７は、写真プリントの作成が完了した際に写真処理装置１５０から送信される完了信号を受信する。
【００５５】
進捗状況記憶部１６８は、写真プリントの作成の進捗状況を記憶する。具体的には、進捗状況記憶部１６８には、上述の放送局１１０の進捗状況記憶部１１７と同様に、「受け付け中」、「プリント中」、「受け取り待ち」、または「配送中」と記憶される。なお、進捗状況記憶部１６８には、デフォルトで「受け付け中」と記憶されている。進捗状況書換部１６９は、進捗状況記憶部１６８に記憶されている進捗状況を書き換える。具体的には、プリント情報送信部１６６がプリント情報を送信した際に、進捗状況書換部１６９によって、進捗状況記憶部１６８の記憶内容が「受け付け中」から「プリント中」に書き換えられる。また、完了信号受信部１６７が完了信号を受信した際に、進捗状況書換部１６９によって、進捗状況記憶部１６８の記憶内容が「プリント中」から「受け取り待ち」または「配送中」に書き換えられる。進捗状況送信部１７０は、進捗状況記憶部１６８に記憶されている進捗状況をインターネット３を介して放送局１１０に送信する。
【００５６】
次に、図５を参照しつつコントローラ１８１について説明する。図５に示すように、コントローラ１８１には、インターネット３に接続するための通信インターフェース１８９が接続されている。また、コントローラ１８１は、発注情報受信部１８２、オーダ情報記憶部１８３、プリンタ判断部１８４、発注情報送信部１８５、完了信号受信部１８６、進捗状況記憶部１８７、進捗状況書換部１８８、及び進捗状況送信部１８９を備えている。なお、発注情報受信部１８２、オーダ情報記憶部１８３、完了信号受信部１８６、進捗状況記憶部１８７、及び進捗状況送信部１８９の機能は、上述のコントローラ１６１の発注情報受信部１６２、オーダ情報記憶部１６４、完了信号受信部１６７、進捗状況記憶部１６８、及び進捗状況送信部１７０の機能とほぼ同一であるので、ここでは説明を省略する。
【００５７】
プリンタ判断部１８４は、オーダ情報記憶部１８３に記憶されたオーダ情報に基づいて、図１に示すプリントシステム１に設けられた写真処理装置１９０のように、サーバを介さずにインターネット３に接続されている多数の写真処理装置の中から、顧客が写真プリントを作成するプリンタとして選択したものを判断する。発注情報送信部１８５は、インターネット３に接続された複数のプリンタのうち、プリンタ判断部１８４によって顧客が選択したプリンタであると判断されたプリンタ（本実施の形態では写真処理装置１９０）に発注情報を送信する。
【００５８】
進捗状況書換部１８８は、発注情報送信部１８５が発注情報を送信した際に、進捗状況記憶部１８７に記憶されている進捗状況を「受付け中」から「プリント中」に書き換える。また、進捗状況書換部１８８は、完了信号受信部１８６が完了信号を受信した際に、進捗状況記憶部１８７の記憶内容を「プリント中」から「受け取り待ち」または「配送中」に書き換える。
【００５９】
写真処理装置１５０は、店舗サーバ１６０からＬＡＮ５を介して送信されたプリント情報に基づいて写真プリントを作成する。図６は、写真処理装置１５０の概略構成を示すブロック図である。図６に示すように、写真処理装置１５０は、写真処理装置１５０全体を制御するコントローラ１５１と、コントローラ１５１の後述するプリント情報記憶部１５３に記憶されるプリント情報に基づいてプリント処理を行うプリント部１５９とを備えている。さらに、コントローラ１５１には、ディスプレイ１５０ａと、写真処理装置１５０に指示を与えるためのキーボード１５０ｂ、及びマウス１５０ｃと、ＬＡＮ５に接続するための通信インターフェース１５０ｄとが接続されている。
【００６０】
また、図６に示すように、コントローラ１５１は、店舗サーバ１６０から送信されたプリント情報を受信するプリント情報受信部１５２と、プリント情報受信部１５２が受信したプリント情報を記憶するプリント情報記憶部１５３と、プリント情報記憶部１５３に記憶されているプリント情報に基づいて写真プリントが作成されるようにプリント部１５９を制御するプリント制御部１５４、写真プリントの作成が完了したか否かを判断する完了判断部１５５、及び完了判断部１５５によって写真プリントの作成が完了したと判断された場合に、店舗サーバ１６０に完了信号を送信する完了信号送信部１５６を備えている。
【００６１】
写真処理装置１９０は、遠隔サーバ１８０からインターネット３を介して送信された発注情報に基づいて写真プリントを作成する。図７は、写真処理装置１９０の概略構成を示すブロック図である。図７に示すように、写真処理装置１９０は、写真処理装置１５０と同様に、コントローラ１９１とプリント部１９９とを備えている。そして、コントローラ１９１には、ディスプレイ１９０ａ、キーボード１９０ｂ、マウス１９０ｃ、及びインターネット３に接続するための通信インターフェース１９０ｄが接続されている。
【００６２】
また、図７に示すように、コントローラ１９１は、遠隔サーバ１８０から送信された発注情報を受信する発注情報受信部１９２と、発注情報受信部１９２が受信した発注情報に含まれるプリント情報を記憶するプリント情報記憶部１９３と、発注情報受信部１９２が受信した発注情報に含まれるオーダ情報を記憶するオーダ情報記憶部１９４と、オーダ情報記憶部１９４の記憶内容に基づいて、上述のサーバ１６０の表示制御部１６５が表示させる受注内容確認画面９０（図２３参照）と同様の画面をディスプレイ１９０ａに表示させる表示制御部１９５と、プリント情報記憶部１９３に記憶されているプリント情報に基づいて写真プリントが作成されるようにプリント部１９９を制御するプリント制御部１９６と、写真プリントの作成が完了したか否かを判断する完了判断部１９７、及び完了判断部１９７によって写真プリントの作成が完了したと判断された場合に、遠隔サーバ１８０に完了信号を送信する完了信号送信部１９８を備えている。
【００６３】
セルフプリント機２００及び証明写真プリント機２２０は、テレビ受像機１３０または放送局１１０からインターネット３を介して送信された発注情報に基づいて写真プリントを作成する。なお、本実施の形態のセルフプリント機２００及び証明写真プリント機２２０は、ほぼ同様の構成を有しているので、本明細書ではセルフプリント機２００の構成についてのみ説明する。図８は、セルフプリント機２００の概略構成を示すブロック図である。図８に示すように、セルフプリント機２００は、セルフプリント機２００全体を制御するコントローラ２０１と、コントローラ２０１の後述するプリント情報記憶部２０３に記憶されたプリント情報に基づいてプリント処理を行うプリント部２１０と、セルフプリント機２００に関する情報を表示すると共に、操作者がセルフプリント機２００に指示を与えるためのタッチパネル式のディスプレイ２００ａと、インターネット３に接続するための通信インターフェース２００ｂとを備えている。
【００６４】
コントローラ２０１は、図８に示すように、発注情報受信部２０２、プリント情報記憶部２０３、オーダ情報記憶部２０４、プリント制御部２０５、完了判断部２０６、進捗状況記憶部２０７、進捗状況書換部２０８、及び進捗状況送信部２０９を備えている。なお、プリント情報記憶部２０３、オーダ情報記憶部２０４、プリント制御部２０５、完了判断部２０６、進捗状況記憶部２０７、及び進捗状況送信部２０９は、写真処理装置１９０のコントローラ１９１に備えられたプリント情報記憶部１９３、オーダ情報記憶部１９４、プリント制御部１９６、完了判断部１９７、店舗サーバ１６０のコントローラ１６１に備えられた進捗状況記憶部１６８、及び進捗状況送信部１７０とほぼ同様の機能を有しているので、ここでは説明を省略する。
【００６５】
発注情報受信部２０２は、テレビ受像機１３０または放送局１１０から送信された発注情報を受信する。進捗状況書換部２０８は、プリント制御部２０５の制御によりプリント部２１０での写真プリントの作成が開始された際に、進捗状況記憶部２０７の記憶内容を「受け付け中」から「プリント中」に書き換える。また、進捗状況書換部２０８は、完了判断部２０６が写真プリントの作成が完了したと判断した際に、進捗状況記憶部２０７の記憶内容を「プリント中」から「受け取り待ち」に変更する。
【００６６】
次に、本実施の形態のプリントシステム１において、写真プリントを作成する手順について説明する。まず、図９を用いて、テレビ受像機１３０における処理手順について説明する。図９は、テレビ受像機１３０において写真プリントの注文を受け付ける手順を示すフローチャートである。
【００６７】
まず、顧客がリモコン１００を操作してテレビ受像機１３０のチャンネルを写真プリントの注文番組が放送されているチャンネルに合わせると、チューナ１３０ｄによってアンテナ１３０ｃが受信した電波から写真プリント注文用のコンテンツデータ信号が取り出される。このとき、初期画面表示制御部１３４が、図１１に示す初期画面１０をディスプレイ１３０ａに表示させる（ステップＳ１０１）。次に、顧客がリモコン１００の確定ボタン１０５を操作したか否かが判断される（ステップＳ１０２）。確定ボタン１０５が操作されていないと判断された場合には（ステップＳ１０２：ＮＯ）、確定ボタン１０５が操作されたと判断されるまで、ステップＳ１０２の判断が繰り返される。
【００６８】
一方、確定ボタン１０５が操作されたと判断された場合には（ステップＳ１０２：ＹＥＳ）、メディアドライブ１３０ｂにセットされたメディアに記録された画像データファイルが読み出される（ステップＳ１０３）。続いて、合成部１３３によって、コンテンツデータ信号に含まれるフォーマットと、メディアから読み出された画像データファイルに係るサムネイル画像とが合成される（ステップＳ１０４）。その後、注文画面表示制御部１３５が、図１２に示すような注文画面２０をディスプレイ１３０ａに表示させる（ステップＳ１０５）。
【００６９】
ここで、顧客がリモコン１００の確定ボタン１０５を操作したか否かが判断される（ステップＳ１０６）。確定ボタン１０５を操作していないと判断された場合には（ステップＳ１０６：ＮＯ）、確定ボタン１０５が操作されたと判断されるまで、ステップＳ１０６の判断が繰り返し行われる。また、確定ボタン１０５が操作されたと判断された場合には（ステップＳ１０６：ＹＥＳ）、画像合成ボタン２１が選択されているか否かが判断される（ステップＳ１０７）。
【００７０】
画像合成ボタン２１が選択されていると判断された場合には（ステップＳ１０７：ＹＥＳ）、付加画像選択画面表示制御部１３６が、図１３に示す付加画像選択画面３０をディスプレイ１３０ａに表示させる（ステップＳ１０８）。その後、顧客が付加画像選択画面３０に表示された付加画像の選択肢の中から１つを選択し、リモコン１００の確定ボタン１０５を操作したか否かが判断される（ステップＳ１０９）。確定ボタン１０５が操作されていないと判断された場合には（ステップＳ１０９：ＮＯ）、確定ボタン１０５が操作されたと判断されるまで、ステップＳ１０９の判断が繰り返し行われる。
【００７１】
また、確定ボタン１０５が操作されたと判断された場合には（ステップＳ１０９：ＹＥＳ）、表示確認画面表示制御部１３７が、図１４に示す表示確認画面３５をディスプレイ１３０ａに表示させる（ステップＳ１１０）。次いで、顧客が表示確認画面３５に表示された「合成画像非表示」または「合成画像表示」の選択肢のいずれか一方を選択し、リモコン１００の確定ボタン１０５を操作したか否かが判断される（ステップＳ１１１）。確定ボタン１０５が操作されていないと判断された場合には（ステップＳ１１１：ＮＯ）、確定ボタン１０５が操作されたと判断されるまで、ステップ１１１の判断が繰り返し行われる。
【００７２】
そして、確定ボタン１０５が操作されたと判断された場合には（ステップＳ１１１：ＹＥＳ）、ステップ１０８で付加画像選択画面３０が表示されるまで表示されていた注文画面２０がディスプレイ１３０ａに表示され、ステップＳ１０６の判断が再び行われる。なお、表示確認画面３５で「合成画像表示」が選択された場合には、放送局１１０の付加画像記憶部１２０に記憶されている複数の画像データファイルのうち、付加画像選択画面３０で選択された付加画像の選択肢に対応する画像データファイルがコンテンツデータ信号として放送され、合成画像が表示される。
【００７３】
一方、画像合成ボタン２１が選択されていないと判断された場合には（ステップＳ１０７：ＮＯ）、メディアから読み出された画像データファイルに係るサムネイル画像のうち、未だディスプレイ１３０ａに表示されていないサムネイル画像が有るか否かが判断される（ステップＳ１１２）。未だディスプレイ１３０ａに表示されていないサムネイル画像が有ると判断された場合には（ステップＳ１１２：ＹＥＳ）、ステップＳ１０５に戻って、注文画面表示制御部１３５が、未だディスプレイ１３０ａに表示されていないサムネイル画像を含む注文画面２０をディスプレイ１３０ａに表示させる。
【００７４】
また、全てのサムネイル画像がディスプレイ１３０ａに表示されたと判断された場合には（ステップＳ１１２：ＮＯ）、プリンタ選択画面表示制御部１３８が、図１５に示すプリンタ選択画面４０をディスプレイ１３０ａに表示させる（ステップＳ１１３）。その後、顧客がプリンタ選択画面４０に表示された複数のプリンタの選択肢の中から１つを選択し、リモコン１００の確定ボタン１０５を操作したか否かが判断される（ステップＳ１１４）。確定ボタン１０５が操作されていないと判断された場合には（ステップＳ１１４：ＮＯ）、確定ボタン１０５が操作されたと判断されるまで、ステップＳ１１４の判断が繰り返し行われる。
【００７５】
そして、確定ボタン１０５が操作されたと判断された場合には（ステップＳ１１４：ＹＥＳ）、プリンタ選択画面４０において顧客が選択した選択肢に対応するプリンタで写真プリントを作成した場合、仕上がった写真プリントの受け取り場所をプリンタの設置場所にするか自宅にするかを選択可能であるか否かが判断される（ステップＳ１１５）。受け取り場所を選択可能でないと判断された場合には（ステップＳ１１５：ＮＯ）、後述するステップＳ１１６、Ｓ１１７を省略して、ステップＳ１１８に進む。
【００７６】
一方、受け取り場所を選択可能であると判断された場合には（ステップＳ１１５：ＹＥＳ）、受取場所選択画面表示制御部１３９が、図１６に示す受取場所選択画面４５をディスプレイ１３０ａに表示させる（ステップＳ１１６）。その後、顧客が受取場所選択画面４５に表示された写真プリントの受け取り場所に関する選択肢の中から１つを選択し、リモコン１００の確定ボタン１０５を操作したか否かが判断される（ステップＳ１１７）。確定ボタン１０５が操作されたと判断されなかった場合には（ステップＳ１１７：ＮＯ）、確定ボタン１０５が操作されたと判断されるまで、ステップＳ１１７の判断が繰り返し行われる。
【００７７】
そして、確定ボタン１０５が操作されたと判断された場合には（ステップＳ１１７：ＹＥＳ）、プリンタ選択画面４０において顧客が選択した選択肢に対応するプリンタで写真プリントを作成した場合、写真プリントの代金を現金で決済するかクレジットカードで決済するかを選択可能であるか否かが判断される（ステップＳ１１８）。支払い経路を選択可能でないと判断された場合には（ステップＳ１１８：ＮＯ）、後述するステップＳ１１９、Ｓ１２０を省略して、ステップＳ１２１に進む。
【００７８】
一方、支払い経路を選択可能であると判断された場合には（ステップＳ１１８：ＹＥＳ）、支払経路選択画面表示制御部１４０が、図１７に示す支払経路選択画面５０をディスプレイ１３０ａに表示させる（ステップＳ１１９）。その後、顧客が支払経路選択画面５０に表示された写真プリントの支払い経路に関する選択肢の中から１つを選択し、リモコン１００の確定ボタン１０５を操作したか否かが判断される（ステップＳ１２０）。確定ボタン１０５が操作されたと判断されなかった場合には（ステップＳ１２０：ＮＯ）、確定ボタン１０５が操作されたと判断されるまで、ステップＳ１２０の判断が繰り返し行われる。
【００７９】
そして、確定ボタン１０５が操作されたと判断された場合には（ステップＳ１２０：ＹＥＳ）、写真プリントの代金がクレジットカードで決済されるか否かが判断される（ステップＳ１２１）。クレジットカードで決済されないと判断された場合には（ステップＳ１２１：ＮＯ）、後述するステップＳ１２２、Ｓ１２３を省略して、ステップＳ１２４に進む。
【００８０】
一方、クレジットカードで決済が行われると判断された場合には（ステップＳ１２１：ＹＥＳ）、カード情報入力画面表示制御部１４１が、図１８に示すカード情報入力画面５５をディスプレイ１３０ａに表示させる（ステップＳ１２２）。その後、顧客が所有するクレジットカードのカード情報を入力し、リモコン１００の確定ボタン１０５を操作したか否かが判断される（ステップＳ１２３）。確定ボタン１０５が操作されたと判断されなかった場合には（ステップＳ１２３：ＮＯ）、確定ボタン１０５が操作されたと判断されるまで、ステップＳ１２３の判断が繰り返し行われる。
【００８１】
そして、確定ボタン１０５が操作されたと判断された場合には（ステップＳ１２３：ＹＥＳ）、確認画面表示制御部１４２が、図１９に示す確認画面６０をディスプレイ１３０ａに表示させる（ステップＳ１２４）。続いて、顧客が注文内容を確認し、リモコン１００の確定ボタン１０５を操作したか否かが判断される（ステップＳ１２５）。確定ボタン１０５が操作されたと判断されなかった場合には（ステップＳ１２５：ＮＯ）、確定ボタン１０５が操作されたと判断されるまで、ステップＳ１２５の判断が繰り返し行われる。
【００８２】
そして、確定ボタン１０５が操作されたと判断された場合には（ステップＳ１２５：ＹＥＳ）、カード情報入力画面５５においてカード情報が入力されたか否かが判断される（ステップＳ１２６）。カード情報が入力されていないと判断された場合には（ステップＳ１２６：ＮＯ）、後述するステップＳ１２７を省略して、ステップＳ１２８に進む。一方、カード情報が入力されたと判断された場合には（ステップＳ１２６：ＹＥＳ）、カード情報送信部１４４によって、入力されたカード情報が決済サーバ２３０（図１参照）にインターネット３を介して送信される（ステップＳ１２７）。その後、発注情報送信部１４３によって、発注情報が店舗サーバ１６０、遠隔サーバ１８０、セルフプリント機２００、もしくは証明写真プリント機２２０、または放送局１１０に送信される（ステップ１２８）。
【００８３】
続いて、テレビ受像機１３０から放送局１１０に発注情報が送信された際の、放送局１１０における処理の手順を示すフローチャートである図２１を用いて、放送局１１０での処理手順について説明する。
【００８４】
まず、発注情報受信部１２１が、テレビ受像機１３０の発注情報送信部１４３が送信した発注情報をインターネット３を介して受信する（ステップＳ２０１）。その後、発注情報送信部１２２が、付加画像記憶部１２０に記憶されている複数の画像データファイルのうち、発注情報受信部１２１が受信した発注情報に含まれている付加画像に関する情報（付加画像選択画面３０で顧客が選択した付加画像の選択肢）に対応する画像データファイルを、発注情報受信部１２１が受信した発注情報と共に、店舗サーバ１６０、遠隔サーバ１８０、セルフプリント機２００、または証明写真プリント機２２０に送信する（ステップＳ２０２）。
【００８５】
次に、店舗サーバ１６０に送信された発注情報に基づいて、写真処理装置１５０で写真プリントを作成する際の手順について説明する。まず、テレビ受像機１３０または放送局１１０から店舗サーバ１６０に発注情報が送信された際の、店舗サーバ１６０における処理の手順を示すフローチャートである図２２を用いて、店舗サーバ１６０での処理手順について説明する。
【００８６】
初めに、発注情報受信部１６２が、テレビ受像機１３０の発注情報送信部１４３または放送局１１０の発注情報送信部１２２が送信した発注情報をインターネット３を介して受信する（ステップＳ３０１）。このとき、進捗状況記憶部１６８には、「受け付け中」と記憶されている。次に、進捗状況送信部１７０が、進捗状況記憶部１６８に記憶されている進捗状況を放送局１１０に送信する（ステップＳ３０２）。
【００８７】
続いて、発注情報受信部１６２が受信した発注情報に含まれるプリント情報及びオーダ情報が、プリント情報記憶部１６３及びオーダ情報記憶部１６４にそれぞれ記憶される（ステップＳ３０３）。その後、表示制御部１６５によって、ディスプレイ１６６に注文内容確認画面９０が表示される（ステップＳ３０４）。ここで、店舗サーバ１６０を操作するオペレータによって、注文内容確認画面９０のプリント開始ボタン９１が操作されたか否かが判断される（ステップＳ３０５）。プリント開始ボタン９１が操作されていないと判断された場合には（ステップＳ３０５：ＮＯ）、プリント開始ボタン９１が操作されたと判断されるまで、ステップＳ３０５の判断が繰り返される。
【００８８】
そして、プリント開始ボタン９１が操作されたと判断された場合には（ステップＳ３０５：ＹＥＳ）、プリント情報送信部１６６によって、プリント情報記憶部１６３に記憶されているプリント情報が写真処理装置１５０に送信される（ステップＳ３０６）。続いて、進捗状況書換部１６９によって、進捗状況記憶部１６８に記憶されている進捗状況が、「プリント中」に書き換えられる（ステップＳ３０７）。その後、進捗状況送信部１７０が、進捗状況記憶部１６８に記憶されている進捗状況を放送局１１０に送信する（ステップＳ３０８）。
【００８９】
次いで、完了信号受信部１６７が写真処理装置１５０から送信された完了信号を受信したか否かが判断される（ステップＳ３０９）。完了信号を受信していないと判断された場合には（ステップＳ３０９：ＮＯ）、完了信号を受信したと判断されるまで、ステップＳ３０９の判断が繰り返される。そして、完了信号を受信したと判断された場合には（ステップＳ３０９：ＹＥＳ）、オーダ情報記憶部１６４に記憶されている写真プリントの受取場所が店頭であるか否かが判断される（ステップＳ３１０）。
【００９０】
受取場所が店頭でない場合、すなわち受取場所が顧客の自宅である場合（ステップＳ３１０：ＮＯ）、進捗状況書換部１６９が進捗状況記憶部１６８に記憶されている進捗状況を「配送中」に書き換える（ステップＳ３１１）。その後、後述するステップＳ３１３に進む。一方、受取場所が店頭である場合（ステップＳ３１０：ＹＥＳ）、進捗状況書換部１６９が進捗状況記憶部１６８に記憶されている進捗状況を「受取待ち」に書き換える（ステップＳ３１２）。続いて、進捗状況送信部１７０が、進捗状況記憶部１６８に記憶されている進捗状況を放送局１１０に送信する（ステップＳ３１３）。
【００９１】
次いで、図２４を用いて、写真処理装置１５０において写真プリントを作成する手順を説明する。図２４は、店舗サーバ１６０から写真処理装置１５０にプリント情報が送信された際の、写真処理装置１５０における処理手順を示すフローチャートである。
【００９２】
まず、プリント情報受信部１５２が、店舗サーバ１６０のプリント情報送信部１６６が送信したプリント情報をＬＡＮ５を介して受信する（ステップＳ４０１）。次に、プリント情報受信部１５２が受信したプリント情報がプリント情報記憶部１５３に記憶される（ステップＳ４０２）。その後、プリント制御部１５４の制御によって、プリント情報記憶部１５３に記憶されているプリント情報に基づくプリント処理が、プリント部１５９において開始される（ステップＳ４０３）。
【００９３】
続いて、完了判断部１５５によって、プリント部１５９におけるプリント処理が完了したか否かが判断される（ステップＳ４０４）。プリント処理が完了していないと判断された場合には（ステップＳ４０４：ＮＯ）、プリント処理が完了したと判断されるまで、ステップＳ４０４の処理が繰り返される。そして、プリント処理が完了したと判断された場合には（ステップＳ４０４：ＹＥＳ）、完了信号送信部１５６によって、店舗サーバ１６０に完了信号が送信される（ステップＳ４０５）。
【００９４】
次に、遠隔サーバ１８０に送信された発注情報に基づいて、写真処理装置１９０で写真プリントを作成する際の手順について説明する。まず、テレビ受像機１３０または放送局１１０から遠隔サーバ１８０に発注情報が送信された際の、遠隔サーバ１８０における処理の手順を示すフローチャートである図２５を用いて、遠隔サーバ１８０での処理手順について説明する。
【００９５】
初めに、発注情報受信部１８２が、テレビ受像機１３０の発注情報送信部１４３または放送局１１０の発注情報送信部１２２が送信した発注情報をインターネット３を介して受信する（ステップＳ５０１）。このとき、進捗状況記憶部１８７には、「受け付け中」と記憶されている。次に、進捗状況送信部１８９が、進捗状況記憶部１８７に記憶されている進捗状況を放送局１１０に送信する（ステップＳ５０２）。
【００９６】
続いて、発注情報受信部１８２が受信した発注情報に含まれるオーダ情報がオーダ情報記憶部１８３に記憶される（ステップＳ５０３）。その後、プリンタ判断部１８４が、オーダ情報記憶部１８３に記憶されたオーダ情報に基づいて、顧客が写真プリントを作成するプリンタとして選択したプリンタを判断する（ステップＳ５０４）。そして、発注情報送信部１８５が、発注情報受信部１８２が受信した発注情報を、プリンタ判断部１８４が判断したプリンタに送信する（ステップＳ５０５）。以降の手順ステップＳ５０６〜ステップＳ５１２は、店舗サーバ１６０における処理手順のステップＳ３０７〜ステップＳ３１３とほぼ等しいので、ここでは説明を省略する。
【００９７】
次いで、図２６を用いて、写真処理装置１９０において写真プリントを作成する手順について説明する。図２６は、遠隔サーバ１８０から写真処理装置１９０に発注情報が送信された際の、写真処理装置１９０における処理の手順を示すフローチャートである。
【００９８】
まず、発注情報受信部１９２が、遠隔サーバ１８０の発注情報送信部１８５が送信した発注情報をインターネット３を介して受信する（ステップＳ６０１）。次に、発注情報受信部１９２が受信した発注情報に含まれるプリント情報及びオーダ情報がプリント情報記憶部１９３及びオーダ情報記憶部１９４に記憶される（ステップＳ６０２）。その後、表示制御部１９５が、ディスプレイ１９０ａに注文内容確認画面９０を表示させる（ステップＳ６０３）。ここで、写真処理装置１９０を操作するオペレータによって、注文内容確認画面９０のプリント開始ボタン９１が操作されたか否かが判断される（ステップＳ６０４）。プリント開始ボタン９１が操作されていないと判断された場合には（ステップＳ６０４：ＮＯ）、プリント開始ボタン９１が操作されたと判断されるまで、ステップＳ６０４の判断が繰り返される。
【００９９】
そして、プリント開始ボタン９１が操作されたと判断された場合には（ステップＳ６０４：ＹＥＳ）、プリント制御部１９６の制御によって、プリント情報記憶部１９３に記憶されているプリント情報に基づくプリント処理が、プリント部１９９において開始される（ステップＳ６０５）。以降の手順ステップＳ６０６、Ｓ６０７は、写真処理装置１９０における処理手順のステップＳ４０４、Ｓ４０５とほぼ等しいので、ここでは説明を省略する。
【０１００】
さらに、テレビ受像機１３０または放送局１１０から送信された発注情報に基づいて、セルフプリント機２００または証明写真プリント機２１０で写真プリントを作成する際の手順について説明する。なお、本実施の形態のセルフプリント機２００及び証明写真プリント機２２０における処理手順は同様であるので、本明細書では、図２７を参照しつつ、セルフプリント機２００において写真プリントを作成する手順についてのみ説明する。図２７は、セルフプリント機２００における処理手順を示すフローチャートである。
【０１０１】
まず、発注情報受信部２０２が、テレビ受像機１３０の発注情報送信部１４３または放送局１１０の発注情報送信部１２２が送信した発注情報をインターネット３を介して受信する（ステップＳ７０１）。このとき、進捗状況記憶部２０７には、「受け付け中」と記憶されている。次に、進捗状況送信部２０９が、進捗状況記憶部２０７に記憶されている進捗状況を放送局１１０に送信する（ステップＳ７０２）。
【０１０２】
次に、発注情報受信部２０２が受信した発注情報に含まれるプリント情報及びオーダ情報がプリント情報記憶部２０３及びオーダ情報記憶部２０４に記憶される（ステップＳ７０３）。その後、プリント制御部２０５の制御によって、プリント情報記憶部２０３に記憶されているプリント情報に基づくプリント処理が、プリント部２１０において開始される（ステップＳ７０４）。続いて、進捗状況書換部２０８によって、進捗状況記憶部２０７に記憶されている進捗状況が、「プリント中」に書き換えられる（ステップＳ７０５）。そして、進捗状況送信部２０９が、進捗状況記憶部２０７に記憶されている進捗状況を放送局１１０に送信する（ステップＳ７０６）。
【０１０３】
次いで、完了判断部２０６によって、プリント部２０１におけるプリント処理が完了したか否かが判断される（ステップＳ７０７）。プリント処理が完了していないと判断された場合には（ステップＳ７０７：ＮＯ）、プリント処理が完了したと判断されるまで、ステップＳ７０７の処理が繰り返される。そして、プリント処理が完了したと判断された場合には（ステップＳ７０７：ＹＥＳ）、進捗状況書換部２０８によって、進捗状況記憶部２０７に記憶されている進捗状況が、「受取待ち」に書き換えられる（ステップＳ７０８）。その後、進捗状況送信部２０９が、進捗状況記憶部２０７に記憶されている進捗状況を放送局１１０に送信する（ステップＳ７０９）。
【０１０４】
続いて、店舗サーバ１６０、遠隔サーバ１８０、セルフプリント機２００、または証明写真プリント機２２０から放送局１１０に進捗状況が送信された際の、放送局１１０における処理の手順を示すフローチャートである図２８を参照しつつ、放送局１１０での処理手順について説明する。
【０１０５】
まず、進捗状況受信部１２２が店舗サーバ１６０、遠隔サーバ１８０、セルフプリント機２００、または証明写真プリント機２２０から送信された進捗状況を受信したか否かが判断される（ステップＳ８０１）。このとき、進捗状況記憶部１１７には、「受け付け中」と記憶されている。進捗状況を受信していないと判断された場合には（ステップＳ８０１：ＮＯ）、後述するステップＳ８０２を省略して、ステップＳ８０３に進む。
【０１０６】
一方、進捗状況を受信したと判断された場合には（ステップＳ８０２：ＹＥＳ）、進捗状況書換部１１９が進捗状況記憶部１１７の記憶内容を、進捗状況受信部１２２が受信した進捗状況に書き換える（ステップＳ８０２）。その後、放送部１１９が、進捗状況記憶部１１７の記憶内容を含むコンテンツデータ信号をアンテナ１２８ａから放送する（ステップＳ８０３）。
【０１０７】
以上のように、本実施の形態のプリントシステム１では、デジタル放送対応のテレビ受像機１３０の合成部１３３が、放送局１１０の放送部１１９によってアンテナ１２８ａから放送された写真プリント注文用のコンテンツデータ信号に含まれるフォーマットと、メディアドライブ１３０ｂによってメディアから読み出された画像データファイルに係るサムネイル画像とを合成することによって、注文画面２０を作成する。そして、注文画面表示制御部１３５が、注文画面２０をディスプレイ１３０ａに表示させる。写真プリントの注文を希望する顧客は、注文画面２０に含まれるサムネイル画像に係る注文情報を入力する。その後、テレビ受像機１３０の発注情報送信部１４３が、プリンタ（写真処理装置１５０、１９０、セルフプリント機２００、または証明写真プリント機２２０）にプリント情報を送信する。プリンタでは、テレビ受像機１３０から送信されたプリント情報に基づいて写真プリントを作成する。したがって、パソコン操作に不慣れな顧客でも、いつでも自宅から写真プリントの注文を行うことが可能となる。また、テレビ受像機は、パソコンと比較して起動時間が短いので、パソコンを用いる場合と比べて手軽に写真プリントの注文を行うことができる。
【０１０８】
また、本実施の形態のプリントシステム１は、リモコン１００を用いて、注文画面２０に含まれるサムネイル画像に係る注文情報を入力することができる。したがって、テレビ受像機１３０の操作者は、普段使い慣れており、且つパソコン等のキーボードと比べてキーの数が少ないリモコン１００を用いて注文情報を入力することができるので、容易に写真プリントの注文を行うことができる。
【０１０９】
さらに、本実施の形態のプリントシステム１では、マイク１４９を用いて、注文画面２０に含まれるサムネイル画像に係る注文情報を入力することができる。したがって、テレビ受像機１３０の操作者は、機器を操作することなく注文情報を入力することができる。その結果、機械の扱いに抵抗がある人でも写真プリントの注文を行うことが可能となる。
【０１１０】
加えて、本実施の形態のプリントシステム１では、テレビ受像機１３０が、プリントシステム１に備えられた複数のプリンタの設置場所等の情報を含むプリンタ選択画面４０をディスプレイ１３０ａに表示させるプリンタ選択画面表示制御部１３８を備えている。したがって、写真プリントの注文を行う顧客は、プリンタ選択画面４０に表示された複数のプリンタの設置場所等を参考にして、プリントを行うプリンタを選択することが可能となる。
【０１１１】
さらに、本実施の形態のプリントシステム１では、テレビ受像機１３０が、写真プリントをプリンタが設置された場所で受け取る場合と、自宅で受け取る場合との２つの選択肢を含む受取場所選択画面４５をディスプレイ１３０ａに表示させる受取場所選択画面表示制御部１３９を備えている。したがって、写真プリントの注文を行う顧客は、受取場所選択画面４５に表示された選択肢の中から、写真プリントの受け取り場所を選択することができる。
【０１１２】
また、本実施の形態のプリントシステム１では、テレビ受像機１３０が、写真プリントの代金を現金で支払う場合と、クレジットカードで支払う場合との２つの選択肢を含む支払経路選択画面５０をディスプレイ１３０ａに表示させる支払経路選択画面表示制御部１４０を備えている。したがって、写真プリントの注文を行う顧客は、支払経路選択画面５０に表示された選択肢の中から、代金の支払い経路を選択することができる。
【０１１３】
さらに、本実施の形態のプリントシステム１では、テレビ受像機１３０が、カード情報を入力するためのカード情報入力画面５５をディスプレイ１３０ａに表示させるカード情報入力画面表示制御部１４１を備えている。したがって、写真プリントの注文を行う顧客は、カード情報入力画面５５において、クレジットカードの番号及び有効期限を入力することによって、写真プリントの代金をカード払いすることが可能となる。その結果、代金を支払うためにプリント店や銀行に赴く必要がなくなる。
【０１１４】
加えて、本実施の形態のプリントシステム１では、テレビ受像機１３０が、コンテンツデータ信号に含まれる情報に基づいて、写真プリントの作成の進捗状況をディスプレイ１３０ａに表示させる進捗状況表示制御部１４６を備えている。したがって、写真プリントの注文を行った顧客は、自宅に居ながらにして写真プリントの作成の進捗状況を把握することができる。
【０１１５】
さらに、本実施の形態のプリントシステム１では、テレビ受像機１３０が、コンテンツデータ信号に含まれる情報に基づいて、プリント店の広告をディスプレイ１３０ａに表示させる広告表示制御部１４５を備えている。したがって、プリント店は、写真プリントの注文を行う顧客に対してサービスの広告を行うことができる。また、写真プリントの注文を行う顧客は、プリント店のサービスを知ることができる。
【０１１６】
また、本実施の形態のプリントシステム１では、テレビ受像機１３０の発注情報送信部１４３は、放送局１１０を介して店舗サーバ１６０、遠隔サーバ１８０、セルフプリント機２００、または証明写真プリント機２２０に発注情報を送信することができる。したがって、テレビ受像機１３０のメディアドライブ１３０ｂによって読み出された画像データファイルに係る画像と、放送局１１０の付加画像記憶部１２０に記憶されている画像データファイルに係る画像との合成画像をプリントすることが可能となる。
【０１１７】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、テレビ受像機１３０の操作者は、リモコン１００またはマイク１４９を用いてテレビ受像機１３０に対する指示を入力することができる場合について説明したが、これには限られない。リモコン１００またはマイク１４９のいずれか一方のみで指示を入力することが可能であってもよい。また、キーボード等の機器を用いて指示を入力するようにしてもよい。
【０１１８】
また、上述の実施の形態では、テレビ受像機１３０が、プリントシステム１に備えられた複数のプリンタの設置場所等の情報を含むプリンタ選択画面４０をディスプレイ１３０ａに表示させるプリンタ選択画面表示制御部１３８を備えている場合について説明したが、これには限られない。例えば、プリンタ選択画面表示制御部１３８が備えられておらず、複数のプリンタの中から写真プリントを作成するプリンタが自動的に選択されてもよい。また、プリントシステム１に備えられたプリンタが１つであってもよい。
【０１１９】
さらに、上述の実施の形態では、テレビ受像機１３０が、写真プリントをプリンタが設置された場所で受け取る場合と、自宅で受け取る場合との２つの選択肢を含む受取場所選択画面４５をディスプレイ１３０ａに表示させる受取場所選択画面表示制御部１３９を備えている場合について説明したが、これには限られない。受取場所に関する選択肢として、例えば、職場で受け取る場合等、上述の２つ以外のものが受取場所選択画面４５に含まれていてもよい。また、受取場所選択画面表示制御部１３９はなくてもよい。
【０１２０】
加えて、上述の実施の形態では、テレビ受像機１３０が、写真プリントの代金を現金で支払う場合と、クレジットカードで支払う場合との２つの選択肢を含む支払経路選択画面５０をディスプレイ１３０ａに表示させる支払経路選択画面表示制御部１４０を備えている場合について説明したが、これには限られない。支払経路に関する選択肢として、例えば、銀行振り込み等、上述の２つ以外のものが支払経路選択画面５０に含まれていてもよい。また、支払経路選択画面表示制御部１４０はなくてもよい。
【０１２１】
また、上述の実施の形態では、テレビ受像機１３０が、カード情報を入力するためのカード情報入力画面５５をディスプレイ１３０ａに表示させるカード情報入力画面表示制御部１４１を備えている場合について説明したが、カード情報入力画面制御部１４１はなくてもよい。
【０１２２】
また、上述の実施の形態では、テレビ受像機１３０が、コンテンツデータ信号に含まれる情報に基づいて、写真プリントの作成の進捗状況を初期画面１０に表示させる進捗状況表示制御部１４６を備えている場合について説明したが、これには限られない。進捗状況表示制御部１４６は、初期画面１０以外の画面に進捗状況を表示してもよい。また、進捗状況表示制御部１４６が備えられておらず、進捗状況が表示されなくてもよい。
【０１２３】
さらに、上述の実施の形態では、テレビ受像機１３０が、コンテンツデータ信号に含まれる情報に基づいて、プリント店の広告を初期画面１０に表示させる広告表示制御部１４５を備えている場合について説明したが、これには限られない。広告表示制御部１４５は、初期画面１０以外の画面に広告を表示してもよい。また、広告表示制御部１４５が備えられておらず、広告が表示されなくてもよい。
【０１２４】
加えて、上述の実施の形態では、テレビ受像機１３０の発注情報送信部１４３が、直接、または放送局１１０を介して、店舗サーバ１６０、遠隔サーバ１８０、セルフプリント機２００、及び証明写真プリント機２２０の中のいずれか１つに発注情報を送信する場合について説明したが、これには限られない。発注情報送信部１４３が、放送局１１０を介さずに、直接発注情報を送信するようにしてもよい。また、発注情報送信部１４３が、放送局１１０を介して発注情報を送信するようにしてもよい。
【０１２５】
さらに、上述の実施の形態では、放送局１１０、テレビ受像機１３０、店舗サーバ１６０、遠隔サーバ１８０、写真処理装置１９０、セルフプリント機２００、及び証明写真プリント機２２０がそれぞれインターネット３に接続されており、発注情報等をインターネット３を介して送受信する場合について説明したが、インターネット３を経由せず、別の通信ネットワークを経由して発注情報等の送受信を行うようにしてもよい。また、２つ以上の通信ネットワークを経由して発注情報等の送受信を行うようにしてもよい。
【図面の簡単な説明】
【０１２６】
【図１】本発明の一実施の形態に係るプリントシステムの概略構成を示す図である。
【図２】図１に示す放送局に備えられた注文番組放送制御部の主要部の構成を示すブロック図である。
【図３】図１に示すテレビ受像機の主要部の構成を示すブロック図である。
【図４】図１に示す店舗サーバの主要部の構成を示すブロック図である。
【図５】図１に示す遠隔サーバの主要部の構成を示すブロック図である。
【図６】図１に示す店舗サーバと通信可能な写真処理装置の主要部の構成を示すブロック図である。
【図７】図１に示す遠隔サーバと通信可能な写真処理装置の主要部の構成を示すブロック図である。
【図８】図１に示すセルフプリント機の主要部の構成を示すブロック図である。
【図９Ａ】図３に示すテレビ受像機において写真プリントの注文を受け付ける手順を示すフローチャート（前半）である。
【図９Ｂ】図３に示すテレビ受像機において写真プリントの注文を受け付ける手順を示すフローチャート（後半）である。
【図１０】図３に示すテレビ受像機に指示を与えるためのリモコンの概略構成を示す図である。
【図１１】図３に示すディスプレイに表示される初期画面を示す図である。
【図１２】図３に示すディスプレイに表示される注文画面を示す図である。
【図１３】図３に示すディスプレイに表示される付加画像選択画面を示す図である。
【図１４】図３に示すディスプレイに表示される表示確認画面を示す図である。
【図１５】図３に示すディスプレイに表示されるプリンタ選択画面を示す図である。
【図１６】図３に示すディスプレイに表示される受取場所画面を示す図である。
【図１７】図３に示すディスプレイに表示される支払経路画面を示す図である。
【図１８】図３に示すディスプレイに表示されるカード情報入力画面を示す図である。
【図１９】図３に示すディスプレイに表示される確認画面を示す図である。
【図２０】図１１に示す初期画面に表示される進捗状況を示す図である。
【図２１】図１に示す放送局で、テレビ受像機から放送局に発注情報が送信された際に行われる処理手順を示すフローチャートである。
【図２２】図４に示す店舗サーバにおいて行われる処理手順を示すフローチャートである。
【図２３】図４に示すディスプレイに表示される注文内容確認画面を示す図である。
【図２４】図６に示す写真処理装置において写真プリントを作成する手順を示すフローチャートである。
【図２５】図５に示す遠隔サーバにおいて行われる処理手順を示すフローチャートである。
【図２６】図７に示す写真処理装置において写真プリントを作成する手順を示すフローチャートである。
【図２７】図８に示すセルフプリント機において写真プリントを作成する手順を示すフローチャートである。
【図２８】図１に示す放送局で、サーバまたはプリント機から放送局に発注情報が送信された際に行われる処理手順を示すフローチャートである。
【符号の説明】
【０１２７】
１  プリントシステム
４０  プリンタ選択画面
４５  受取場所選択画面
５０  支払経路選択画面
５５  カード情報入力画面（支払情報入力画面）
７０  広告
８０  進捗状況
１００  リモコン（入力部）
１１０  放送局
１１１  注文番組放送制御部（注文番組放送手段）
１２８ａ  アンテナ（注文番組放送手段）
１３０  テレビ受像機
１３０ａ  ディスプレイ
１３０ｂ  メディアドライブ（読み出し部）
１３０ｃ  アンテナ（受信部）
１３３  合成部（合成手段）
１３５  注文画面表示制御部（注文画面表示制御手段）
１３８  プリンタ選択画面表示制御部（プリンタ選択画面表示制御手段）
１３９  受取場所選択画面表示制御部（受取場所選択画面表示制御手段）
１４０  支払経路選択画面表示制御部（支払経路選択画面表示制御手段）
１４１  カード情報入力画面表示制御部（支払情報入力画面表示制御手段）
１４３  発注情報送信部（送信手段）
１４５  広告表示制御部（広告表示制御手段）
１４６  進捗状況表示制御部（報知手段）
１４９  マイク（入力部）
１５３、１９３、２０３  プリント情報記憶部（プリント情報記憶手段）
１５９、１９９、２１０  プリント部（プリンタ）
【図１】
2006318378.tif 000003
【図２】
2006318378.tif 000004
【図３】
2006318378.tif 000005
【図４】
2006318378.tif 000006
【図５】
2006318378.tif 000007
【図６】
2006318378.tif 000008
【図７】
2006318378.tif 000009
【図８】
2006318378.tif 000010
【図９Ａ】
2006318378.tif 000011
【図９Ｂ】
2006318378.tif 000012
【図１０】
2006318378.tif 000013
【図１１】
2006318378.tif 000014
【図１２】
2006318378.tif 000015
【図１３】
2006318378.tif 000016
【図１４】
2006318378.tif 000017
【図１５】
2006318378.tif 000018
【図１６】
2006318378.tif 000019
【図１７】
2006318378.tif 000020
【図１８】
2006318378.tif 000021
【図１９】
2006318378.tif 000022
【図２０】
2006318378.tif 000023
【図２１】
2006318378.tif 000024
【図２２】
2006318378.tif 000025
【図２３】
2006318378.tif 000026
【図２４】
2006318378.tif 000027
【図２５】
2006318378.tif 000028
【図２６】
2006318378.tif 000029
【図２７】
2006318378.tif 000030
【図２８】
2006318378.tif 000031